(57)【特許請求の範囲】
【請求項１】
毛の生えた皮膚表面を、第１の方向と、該第１の方向とは実質的に逆の第２の方向とにシェービングするように構成された旋回式双方向シェービングカートリッジであって、
幅、長さ、シェービング面及びハンドル取り付け面を有するハウジングと、
刃先を有する少なくとも第１のカミソリ刃を含み、前記シェービングカートリッジが前記第１の方向に平行移動した時に前記皮膚表面をシェービングするように構成された第１の刃群と、
刃先を有する少なくとも第１のカミソリ刃を含み、前記シェービングカートリッジが前記第２の方向に平行移動した時に前記皮膚表面をシェービングするように構成された第２の刃群と、
前記第１の刃群と前記第２の刃群との間に配置されたガードバーと、
を備え、
前記第１の刃群の前記第１のカミソリ刃の前記刃先と前記第２の刃群の前記第１のカミソリ刃の前記刃先との間の等距離に、長手方向に延びる中心面が配置され、該中心面は、前記第１の刃群の前記第１のカミソリ刃の前記刃先と、前記第２の刃群の前記第１のカミソリ刃の前記刃先との両方に正接する基準面に対して垂直であり、
前記シェービングカートリッジは、旋回軸を中心に旋回するように構成され、前記旋回軸は、前記中心面と、前記第１の刃群の前記第１のカミソリ刃の前記刃先に正接する、前記中心面に平行な平面との間に配置される、
ことを特徴とするカートリッジ。
【請求項２】
前記旋回軸は、前記中心面よりも前記第１の刃群の前記第１のカミソリ刃の前記刃先に近い、
請求項１に記載のカートリッジ。
【請求項３】
毛の生えた皮膚表面を、第１の方向と、該第１の方向とは実質的に逆の第２の方向とにシェービングするように構成された旋回式双方向シェービングカートリッジであって、
幅、長さ、シェービング面及びハンドル取り付け面を有するハウジングと、
それぞれが刃先を有する少なくとも第１のカミソリ刃及び第２のカミソリ刃を含み、前記シェービングカートリッジが前記第１の方向に平行移動した時に前記皮膚表面をシェービングするように構成された第１の刃群と、
刃先を有する少なくとも第１のカミソリ刃を含み、前記シェービングカートリッジが前記第２の方向に平行移動した時に前記皮膚表面をシェービングするように構成された第２の刃群と、
前記第１の刃群と前記第２の刃群との間に配置されたガードバーと、
を備え、
前記第１の刃群の前記第１のカミソリ刃の前記刃先と前記第２の刃群の前記第１のカミソリ刃の前記刃先との間の等距離に、長手方向に延びる中心面が配置され、該中心面は、前記第１の刃群の前記第１のカミソリ刃の前記刃先と、前記第２の刃群の前記第１のカミソリ刃の前記刃先との両方に正接する基準面に対して垂直であり、
前記シェービングカートリッジは、旋回軸を中心に旋回するように構成され、前記旋回軸は、前記中心面と、前記第１の刃群の前記第２のカミソリ刃の前記刃先に正接する、前記中心面に平行な平面との間に配置される、
ことを特徴とするカートリッジ。
【請求項４】
前記旋回軸は、前記第１の刃群の前記第２のカミソリ刃の前記刃先よりも前記第１の刃群の前記第１のカミソリ刃の前記刃先に近い、
請求項３に記載のカートリッジ。
【請求項５】
毛の生えた皮膚表面を、第１の方向と、該第１の方向とは実質的に逆の第２の方向とにシェービングするように構成された旋回式双方向シェービングカートリッジであって、
幅、長さ、シェービング面及びハンドル取り付け面を有するハウジングと、
それぞれが刃先を有する少なくとも第１のカミソリ刃及び最後のカミソリ刃を含み、前記シェービングカートリッジが前記第１の方向に平行移動した時に前記皮膚表面をシェービングするように構成された第１の刃群と、
刃先を有する少なくとも第１のカミソリ刃を含み、前記シェービングカートリッジが前記第２の方向に平行移動した時に前記皮膚表面をシェービングするように構成された第２の刃群と、
前記第１の刃群と前記第２の刃群との間に配置されたガードバーと、
を備え、
前記第１の刃群の前記第１のカミソリ刃の前記刃先と前記第２の刃群の前記第１のカミソリ刃の前記刃先との間の等距離に、長手方向に延びる中心面が配置され、該中心面は、前記第１の刃群の前記第１のカミソリ刃の前記刃先と、前記第２の刃群の前記第１のカミソリ刃の前記刃先との両方に正接する基準面に対して垂直であり、
前記シェービングカートリッジは、旋回軸を中心に旋回するように構成され、前記旋回軸は、前記中心面と、前記第１の刃群の前記最後のカミソリ刃の前記刃先に正接する、前記中心面に平行な平面との間に配置される、
ことを特徴とするカートリッジ。
【請求項６】
前記旋回軸は、前記第１の刃群の前記最後のカミソリ刃の前記刃先よりも前記第１の刃群の前記第１のカミソリ刃の前記刃先に近い、
請求項５に記載のカートリッジ。
【請求項７】
前記旋回軸は、前記基準面から前記ハンドル取り付け面に向かう方向の０．５ｍｍを超えない距離に配置される、
請求項１から６のいずれかに記載のカートリッジ。
【請求項８】
前記第１の刃群の前記カミソリ刃の前記刃先、及び前記第２の刃群の前記第１のカミソリ刃の前記刃先は、いずれも前記中心面を向く、
請求項１から７のいずれかに記載のカートリッジ。
【請求項９】
前記第１の刃群は、第１のカミソリ刃数を含み、前記第２の刃群は、第２のカミソリ刃数を含み、前記第１のカミソリ刃数は前記第２のカミソリ刃数と異なる、
請求項１から８のいずれかに記載のカートリッジ。
【請求項１０】
前記第１のカミソリ刃数は、前記第２のカミソリ刃数よりも多い、
請求項９に記載のカートリッジ。
【請求項１１】
前記第２の刃群の少なくとも１つのカミソリ刃は、前記カミソリ刃に取り付けられた皮膚係合部材を含む、
請求項１から１０のいずれかに記載のカートリッジ。
【請求項１２】
前記第１の刃群の少なくとも１つのカミソリ刃は、前記カミソリ刃に取り付けられた皮膚係合部材を含む、
請求項１から１１のいずれかに記載のカートリッジ。
【請求項１３】
前記ガードバーは、前記旋回軸と前記第２の刃群との間に配置された表面特徴を含む、
請求項１に記載のカートリッジ。
【請求項１４】
前記表面特徴は、前記基準面を通って延びる、
請求項１３に記載のカートリッジ。
【請求項１５】
前記旋回軸は、前記基準面内に配置される、
請求項１から１４のいずれかに記載のカートリッジ。
【請求項１６】
前記旋回軸は、前記基準面の上方に配置される、
請求項１から１５のいずれかに記載のカートリッジ。
【請求項１７】
前記第１の刃群、前記第２の刃群及び前記ガードバーは、前記ハウジング内に装着されたカミソリカートリッジ内に装着される、
請求項１から１６のいずれかに記載のカートリッジ。
【請求項１８】
前方キャップ及び後方キャップをさらに備える、
請求項１から１７のいずれかに記載のカートリッジ。
【請求項１９】
前記第１の刃群内の刃先を有する前記少なくとも第１のカミソリ刃は、それぞれが刃先を有する複数のカミソリ刃であり、該カミソリ刃の前記刃先は、第１の平面内で同一平面上にある、
請求項１から１８のいずれかに記載のカートリッジ。
【請求項２０】
前記第２の刃群内の刃先を有する前記少なくとも第１のカミソリ刃は、それぞれが刃先を有する複数のカミソリ刃であり、該カミソリ刃の前記刃先は、第２の平面内で同一平面上にある、
請求項１から１９のいずれかに記載のカートリッジ。
【請求項２１】
前記第１の平面及び前記第２の平面は、同一平面上にある、
請求項１９に記載のカートリッジ。
【発明の詳細な説明】
【技術分野】
【０００１】
本発明は、一般にシェービング装置に関し、具体的には双方向シェービング装置に関する。
【背景技術】
【０００２】
一般に、湿式シェービング装置は、シェービング装置が単一指向性であるように一方向に向いた単一の又は複数の刃を含む（すなわち、カミソリの刃が一方向に沿ってしか切断できないように構成される）。単方向シェービング装置の欠点は、次の切断ストロークに適した位置にカミソリを配置するために、戻りストローク中に毛の生えた表面からカミソリを持ち上げなければならない点である。この戻りストロークは、例えばユーザの足などの毛の生えた広い表面をシェービングするのに必要な時間を増やしてしまう。第２の欠点は、各切断ストロークの初期化中に皮膚が擦られることによって不快感を生じやすくなり得る点である。
【先行技術文献】
【特許文献】
【０００３】
【特許文献１】米国特許第８，３０７，５５３号明細書
【特許文献２】米国特許第７，６８１，３１４号明細書
【特許文献３】米国特許出願公開第２０１０／０１０７４２５号明細書
【特許文献４】米国特許第７，３３１，１０７号明細書
【発明の概要】
【課題を解決するための手段】
【０００４】
本発明の第１の観点によれば、皮膚表面を、第１の方向と、第１の方向とは実質的に逆の第２の方向とにシェービングするように構成された旋回式双方向シェービングカートリッジが提供される。シェービングカートリッジは、ハウジングと、第１の刃群と、第２の刃群と、ガードバーとを含む。ハウジングは、幅、長さ、シェービング面及びハンドル取り付け面を有する。第１の刃群は、刃先を有する少なくとも第１のカミソリ刃を含む。第１の刃群は、シェービングカートリッジが第１の方向に平行移動した時に皮膚表面をシェービングするように構成される。第２の刃群は、刃先を有する少なくとも第１のカミソリ刃を含む。第２の刃群は、シェービングカートリッジが第２の方向に平行移動した時に皮膚表面をシェービングするように構成される。ガードバーは、第１の刃群と第２の刃群との間に配置される。第１の刃群の第１のカミソリ刃の刃先と第２の刃群の第１のカミソリ刃の刃先との間の等距離に、長手方向に延びる中心面が配置される。中心面は、第１の刃群の第１のカミソリ刃の刃先と第２の刃群の第１のカミソリ刃の刃先との両方に正接する基準面に対して垂直である。シェービングカートリッジは、旋回軸を中心に旋回するように構成される。旋回軸は、中心面からオフセットされて、中心面と、第１の刃群の第１のカミソリ刃の刃先に正接する中心面に平行な平面との間に配置される。
【０００５】
上述した態様のさらなる実施形態では、旋回軸が、第２の刃群の第１のカミソリ刃の刃先よりも第１の刃群の第１のカミソリ刃の刃先に近い。
【０００６】
上述した態様のいずれかの実施形態のさらなる実施形態では、旋回軸と第１の刃群の第１のカミソリ刃の刃先との間の距離が、中心面と第１の刃群の第１のカミソリ刃の刃先との間の距離よりも小さい。
【０００７】
本発明の第２の観点によれば、旋回軸が中心面からオフセットされて、中心面と、第１の刃群の第２のカミソリ刃の刃先に正接する中心面に平行な平面との間に配置される。この態様のいずれかの実施形態のさらなる実施形態では、旋回軸が、第１の刃群の第２のカミソリ刃の刃先よりも第１の刃群の第１のカミソリ刃の刃先に近い。
【０００８】
本発明の第３の態様によれば、旋回軸が中心面からオフセットされて、中心面と、第１の刃群の最後のカミソリ刃の刃先に正接する中心面に平行な平面との間に配置される。この態様のいずれかの実施形態のさらなる実施形態では、旋回軸が、第１の刃群の最後のカミソリ刃の刃先よりも第１の刃群の第１のカミソリ刃の刃先に近い。
【０００９】
上述した態様のいずれかの実施形態のさらなる実施形態では、旋回軸が、基準面からハンドル取り付け面に向かう方向の０．５ｍｍを超えない距離に配置される。
【００１０】
上述した態様のいずれかの実施形態のさらなる実施形態では、第１の刃群が第１のカミソリ刃数を含み、第２の刃群が第２のカミソリ刃数を含み、第１のカミソリ刃数が第２のカミソリ刃数と異なる。いくつかの実施形態では、第１のカミソリ刃数が第２のカミソリ刃数よりも多い。
【００１１】
上述した態様のいずれかの実施形態のさらなる実施形態では、第２の刃群の少なくとも１つのカミソリ刃が、カミソリ刃に取り付けられた皮膚係合部材を含む。
【００１２】
上述した態様のいずれかの実施形態のさらなる実施形態では、第１の刃群の少なくとも１つのカミソリ刃が、カミソリ刃に取り付けられた皮膚係合部材を含む。
【００１３】
上述した態様のいずれかの実施形態のさらなる実施形態では、ガードバーが、旋回軸と第２の刃群との間に配置された表面特徴を含む。いくつかの実施形態では、表面特徴が基準面を通って延びる。
【００１４】
上述した態様のいずれかの実施形態のさらなる実施形態では、旋回軸が基準面内に配置される。
【００１５】
上述した態様のいずれかの実施形態のさらなる実施形態では、旋回軸が基準面の上方に配置される。
【００１６】
上述した態様のいずれかの実施形態のさらなる実施形態では、第１の刃群、第２の刃群及びガードバーが、ハウジング内に装着されたカミソリカートリッジ内に装着される。
【００１７】
上述した態様のいずれかの実施形態のさらなる実施形態では、シェービングカートリッジが、前方キャップ及び後方キャップをさらに含む。
【００１８】
上述した態様のいずれかの実施形態のさらなる実施形態では、第１の刃群内の刃先を有する少なくとも第１のカミソリ刃が、それぞれが刃先を有する複数のカミソリ刃であり、カミソリ刃の刃先が、第１の平面内で同一平面上にある。
【００１９】
上述した態様のいずれかの実施形態のさらなる実施形態では、第２の刃群内の刃先を有する少なくとも第１のカミソリ刃が、それぞれが刃先を有する複数のカミソリ刃であり、カミソリ刃の刃先が、第２の平面内で同一平面上にある。
【００２０】
上述した態様のいずれかの実施形態のさらなる実施形態では、第１の刃群の少なくとも第１のカミソリ刃の刃先が、第１の刃群の第１のカミソリ刃の幅方向中心線を通って延びる線が概ね第２の刃群に向かう方向に延びるように配向される。
【００２１】
上述した態様のいずれかの実施形態のさらなる実施形態では、第２の刃群の少なくとも第１のカミソリ刃の刃先が、第２の刃群の第１のカミソリ刃の幅方向中心線を通って延びる線が概ね第１の刃群に向かう方向に延びるように配向される。
【００２２】
上述した態様のいずれかの実施形態のさらなる実施形態では、第１の刃群内の刃先を有する少なくとも第１のカミソリ刃が、それぞれが刃先を有する複数のカミソリ刃であり、第１の刃群のカミソリ刃の各刃先が、第１の刃群内の各カミソリ刃の幅方向中心線を通って延びる線が概ね第２の刃群に向かう方向に延びるように配向される。
【００２３】
上述した態様のいずれかの実施形態のさらなる実施形態では、第２の刃群内の刃先を有する少なくとも第１のカミソリ刃が、それぞれが刃先を有する複数のカミソリ刃であり、第２の刃群のカミソリ刃の各刃先が、第２の刃群内の各カミソリ刃の幅方向中心線を通って延びる線が概ね第１の刃群に向かう方向に延びるように配向される。
【図面の簡単な説明】
【００２４】
【図１Ａ】シェービングカートリッジの実施形態を含むシェービング装置の平面背面図である。
【図１Ｂ】図１Ａに示すシェービング装置の平面正面図である。
【図１Ｃ】図１Ａに示すシェービング装置の平面側面図である。
【図２】シェービングカートリッジの実施形態の斜視図である。
【図３】図２に示すシェービングカートリッジの実施形態の断面図である。
【図４】別のシェービングカートリッジの実施形態の断面図である。
【図５】シェービングカートリッジの実施形態の断面斜視図である。
【図６】シェービングカートリッジの実施形態の部分的概略図である。
【図７】カミソリカートリッジの実施形態の斜視図である。
【図８】カミソリカートリッジの実施形態の斜視図である。
【図９】カミソリカートリッジの実施形態の部分的断面図である。
【図１０】カミソリカートリッジの実施形態の部分的断面図である。
【図１１Ａ】刃保持具の実施形態の斜視図である。
【図１１Ｂ】図１１Ａに示す刃保持具の実施形態の斜視図である。
【図１１Ｃ】図１１Ａ及び図１１Ｂに示す刃保持具の実施形態の平面図である。
【図１１Ｄ】図１１Ａ及び図１１Ｂに示す刃保持具の実施形態の平面図である。
【図１２】カミソリカートリッジの実施形態の部分的断面図である。
【図１３】図１Ａに示すシェービング装置の拡大部分図である。
【図１４Ａ】ハンドル上に配置されたシェービングカートリッジ取り付け機構部分の概略的平面図である。
【図１４Ｂ】図１４Ａに示すハンドル上に配置されたシェービングカートリッジ取り付け機構部分の概略的側面図である。
【図１５】刃の実施形態の概略的側面図である。
【図１６】刃の実施形態の概略的側面図である。
【発明を実施するための形態】
【００２５】
図１〜図５に示すように、本発明の態様によれば、ハウジング２４と、第１の刃群２６と、第２の刃群２８と、ガードバー３０とを含む、シェービング装置２２のシェービングカートリッジ２０が提供される。後述するように、シェービングカートリッジ２０は、長手方向に延びる非中心的な旋回軸３２（図３及び図４を参照）を有し、この軸を中心に旋回できるように構成される。具体的に言えば、旋回軸３２は、シェービングカートリッジ２０が皮膚との接触を維持して、シェービングストローク中に遭遇し得るあらゆる皮膚表面の起伏に追従できるように、シェービングカートリッジ２０の（例えば、静止時に取る通常位置から）適切な方向への旋回を可能にする。
【００２６】
図１Ａ〜図１Ｃに示すように、シェービング装置２２はハンドル３４を含む。ガードバー３０は、第１の刃群２６と第２の刃群２８との間に配置される。シェービングカートリッジ２０は、互いに対向するシェービング面２９とハンドル取り付け面３１とを有するものとして説明することができる。シェービングカートリッジ２０は、再使用可能なハンドル３４と共に使用される使い捨てカートリッジとすることも（例えば、再使用可能なハンドル３４に新たな使い捨てシェービングカートリッジ２０を取り付けてその後に取り外すことも）、或いはハンドル３４に固定されて単一の使い捨てカミソリを形成することもできる。
【００２７】
図１Ａ〜図１Ｃには、本シェービングカートリッジ２０と共に使用できるハンドル３４の実施形態を示す。ハンドル３４は、（例えば、本明細書で説明するように）使い捨てシェービングカートリッジ２０に取り付け可能なように構成することも、或いはシェービングカートリッジ２０に恒久的に取り付けられるように構成することもできる。ハンドル３４は、シェービングカートリッジ２０に取り付けられるように（選択的に取り付け可能なように、又は恒久的に取り付け可能なように）構成された第１の端部３６と、第１の端部３６の反対側に配置された第２の端部３８と、上面４０と、底面４２と、側面４４とを含む。ハンドル３４は、第１のハンドル部分４６と、第２のハンドル部分４８と、第３のハンドル部分５０と、第４のハンドル部分５２と、第５のハンドル部分５４とを含む。上述したハンドル部分４６〜５４は、第２の端部３８の隣に配置された第１のハンドル部分４６から開始して第１の端部３６の隣に配置された第５のハンドル部分５４で終了する線形順に配置される。各ハンドル部分４６〜５４は幅５６を含み、すなわちそれぞれのハンドル部分が外向きに広がっているか、それとも内向きに広がっているかに応じて最大幅又は最小幅を含む。各ハンドル部分４６〜５４は、隣接する部分間で遷移する弓形形状を有するように成形される。第２のハンドル部分４８の幅は、第１及び第３のハンドル部分４６、５０の幅よりも小さい。従って、ハンドル３４の幅は、第１のハンドル部分４６から第２のハンドル部分４８の少なくとも一部を通じて減少した後に、第３のハンドル部分５０内に遷移するにつれて再び増加する。第４のハンドル部分５２の幅は、第３及び第５のハンドル部分５０、５４の幅よりも小さい。従って、ハンドル３４の幅は、第３のハンドル部分５０から第４のハンドル部分５２の少なくとも一部を通じて減少した後に第５のハンドル部分５４内に遷移するにつれて再び増加する。様々な部分の幅によって形成される波状のハンドル３４の幅によって広い部分（すなわち、第１、第３及び第５のハンドル部分４６、５０、５４）の間に狭い部分（すなわち、第２及び第４のハンドル部分４８、５２）が配置され、ユーザがハンドル３４を握った時にハンドル３４の長さに沿って握りが滑るのを防ぐことができる。また、図１Ｃの側面図で分かるように、第１〜第３のハンドル部分４６〜５０は、ユーザの手のひら内に人間工学的に適合する弓形に成形された上面４０を有する。第４及び第５のハンドル部分５２、５４の上面４０も弓形に成形されるが、第４及び第５のハンドル部分５２、５４の上面の曲率は、第３のハンドル部分５０の上面の曲率から離れて湾曲する。このハンドル部分全体を通じた上面の曲率の変動によっても、ユーザがハンドル３４を握った時にハンドル３４の長さに沿って握りが滑るのを防ぐことができる。いくつかの実施形態では、これらの部分のうちの１つ又は２つ以上が、ハンドル３４を握るユーザの能力をさらに高めるように、それぞれの表面から外向きに広がるリブ６２（又はその他の幾何学的特徴）を含むことができる。上述したハンドル３４の幾何学的形状は、ハンドル３４を人間工学的に容易に把持できるものにし、これによって後述するようなシェービングカートリッジ２０の前進及び後進ストローク方向への操作を容易にする。
【００２８】
本シェービング装置２２のハンドル３４及びシェービングカートリッジ２０は互いに様々な異なる形で取り付けることができ、従って本明細書に示す例に限定されるものではない。図２及び図３に示すシェービングカートリッジ２０の実施形態は、例えばハンドル３４に取り付けられるように構成されたハンドル接続部６４を含む。ハウジング２４は、長手方向に延びる非中心的な旋回軸３２を中心にハンドル接続部６４（従って、ハンドル３４）に対して旋回することができる。図４に示すシェービングカートリッジ２０の実施形態はハンドル接続部６４を含んでおらず、後述するように直接ハンドル３４に取り付けられるように構成される。
【００２９】
シェービングカートリッジ２０は、毛の生えた皮膚表面（以下、「表面」と呼ぶ）を横切って第１のストローク方向と、第１のストローク方向とは実質的に逆の第２のストローク方向とに平行移動する（「ストローク運動する」）ように構成される。本明細書における説明を容易にするために、以下、第１のストローク方向を「前進」ストローク方向と呼び、第２のストローク方向を「後進」ストローク方向と呼ぶ。前進ストローク方向は、シェービングカートリッジ２０がハンドル３４に追従する方向であるため「引き」ストロークと呼ぶこともでき、後進ストローク方向は、シェービングカートリッジ２０がハンドル３４を先導する方向であるため「押し」ストロークと呼ぶこともできる。本説明から明らかなように、本シェービングカートリッジ２０は、ユーザがシェービングすべき皮膚表面からシェービングカートリッジ２０を持ち上げる必要なく表面を横切って安全かつ効率的にシェービングカートリッジ２０を「押すこと」及び「引くこと」ができるようにする。
【００３０】
ハウジング２４は、前縁面６６と、後縁面６８と、前方キャップ７０と、後方キャップ７２とを含む。いくつかの実施形態では、ハウジング２４が、第１の側方部分７４及び第２の側方部分７６をさらに含むことができる。例えば、図２に示す実施形態は、第１及び第２の側方部分７４、７６を含む。図５の断面図に示す実施形態は側方部分を含まない。本明細書における説明を容易にするために、シェービングカートリッジ２０（従って、ハウジング２４）を直交軸に関して説明することができる。例えば、シェービングカートリッジ２０は、Ｘ軸方向に延びる長さ７５と、Ｙ軸方向に延びる幅７７と、Ｚ軸方向に延びる深さ７９とを有するものとして説明することができる。いくつかの実施形態では、ハウジング２４を形成する要素の少なくとも一部を、比較的硬質のポリマーから形成（例えば、射出成形）することができる。このようなポリマーの非限定的な例は、ＮＯＲＹＬ（ポリフェニレンエーテル（ＰＰＥ）とポリスチレンＰＳとの均一混合物）であり、具体的にはＳＡＢＩＣ  Ｉｎｎｏｖａｔｉｖｅ  Ｐｌａｓｔｉｃｓ社製のＰＸ−５５１１と呼ばれる材料である。（例えば、図１及び図２に示すような）いくつかの実施形態では、ハウジング２４が概ね矩形である。しかしながら、ハウジング２４は矩形に限定されるものではなく、例えばハウジング２４の実施形態は、楕円形、概ね矩形で角が丸いものなどとすることもできる。
【００３１】
いくつかの実施形態（例えば、図２及び図６）では、ハウジング２４が、入り組んだ側方部分７８を含む形状を含むことができる。入り組んだ側方部分７８は、前方キャップ及び後方キャップ７０、７２が側方部分７４、７６と交わる領域に比較的大きな曲率（例えば、半径）をもたらして、シェービングカートリッジハウジング２４の全長が比較的わずかしか又は全く増加しないという利点を有する。例えば、図６に概略的に示すように、前方キャップ又は後方キャップ７０、７２が側方部分７４、７６と交わる領域では、これらの各領域の曲率がカートリッジ内部の地点８２に中心を置き、これらの地点間に配置された側方部分の入り組んだ領域７８がシェービングカートリッジ２０の外部の地点８４に中心を置く。これらの実施形態による短い長さのシェービングカートリッジ２０は、そうでなければ容易にアクセスできないことがある皮膚の凹凸（例えば、脇の下の領域、ビキニ領域など）にアクセスすることができる。
【００３２】
第１の刃群２６、第２の刃群２８及びガードバー３０は、ハウジング２４内に個別に又は何らかの組み合わせで装着される。例えば、第１の刃群２６、第２の刃群２８及びガードバー３０は、シェービングカートリッジ２０内に個別に装着することができる。或いは、第１の刃群２６、第２の刃群２８及びガードバー３０をカミソリカートリッジ８６内に配置して（例えば、図５、図７及び図８を参照）、このカミソリカートリッジ８６をシェービングカートリッジ２０内に装着することもできる。図７及び図８に、本シェービングカートリッジ２０内に装着できるカミソリカートリッジ８６の実施形態を示す。このような実施形態では、カミソリカートリッジ８６の形状を概ね矩形に構成して、上述したような非矩形形状（例えば、楕円形）のシェービングカートリッジ２０内に装着することができる。
【００３３】
いくつかの実施形態では、カミソリカートリッジ８６が刃保持具８８を含むことができる。図１１Ａ〜図１１Ｃに示す非限定的な刃保持具８８の例は、接続部分８３によって互いに接続された端部８５を有する単一構造である。端部８５は、第１及び第２の刃群２６、２８内に刃を保持するように構成される。端部８５の構成は、異なるカートリッジ用途に対応するように変化することができる。図示の実施形態では、各端部８５が、第１の端部８７と、第２の端部８９と、第１のフランジ９０と、第２のフランジ９２と、第１のタブ９３と、第２のタブ９５とを含む。第１のフランジ９０は、基準面９７を含む。Ｊ字形断面（例えば、図３及び図４を参照）又はＵ字形断面とすることができる接続部分は、各それぞれの端部８５の第１の端部８７に近接して各端部８５に接続される。接続部分８３は、特定のカートリッジ２０に応じてシェービングストローク中にユーザの皮膚表面に係合するように位置することができる露出面９９を含むことができる。それぞれの端部８５の第１のタブ９３は、第１のフランジ９０から離間して概ねこれに対向し、第２のタブ９５は、第１の端部８７から離間して概ねこれに対向する。第１及び第２のタブ９３、９５は、刃保持具８８をカートリッジ２０内に配置及び／又は保持するように構成することができる。図１１Ａ〜図１１Ｄに示す刃保持具８８は刃保持具８８の非限定的な例であり、これに代えて別の実施形態を使用することもできる。例えば、図８に示すカミソリカートリッジ８６には、その各長手方向端部に隣接して単独の刃保持具１８８が装着される。これらの（例えば、間に延びる接続部分８３が存在しない）単独の刃保持具１８８は、上述した端部８５と同様に構成することができる。米国特許第８，３０７，５５３号には、同様のタイプの刃保持具８８構造が開示されており、この文献はその全体が引用により本明細書に組み入れられる。
【００３４】
いくつかの実施形態では、基準面９７が刃カートリッジ２０内の１又は２以上の刃に接触するように配置された刃保持具を使用することができる。例えば、（単複の）刃の刃先の部分が基準面９７に対して付勢されるように刃を付勢（例えば、ばね装着）することによってカミソリ刃の配置面をもたらすことができる。
【００３５】
第１の刃群２６、第２の刃群２８及びガードバー３０は、前方キャップ７０と後方キャップ７２との間に配置される。シェービングカートリッジ２０を、表面上のある地点を過ぎて（図３の矢印９６で示す）前進ストローク方向に平行移動させた場合、シェービングカートリッジ２０の要素は、前方キャップ７０、第２の刃群２８、ガードバー３０、第１の刃群２６、そして後方キャップ７２といった順序でこの表面上の地点を過ぎるようになる。逆に、シェービングカートリッジ２０を、表面上の地点を過ぎて（図３に矢印９８で示す）後進ストローク方向に平行移動させた場合、これらの要素は、第１の刃群２６、ガードバー３０、第２の刃群２８、そして前方キャップ７０といった順序で表面上の地点を過ぎるようになる。
【００３６】
次に図９を参照すると、第１及び第２の刃群２６、２８の各々は、刃先１０２を有する少なくとも１つの刃１００を含む。第１の刃群２６が２又は３以上の刃１００を含む実施形態では、ガードバー３０に最も近い刃１００（図１０の刃１２７も同様）を第１の刃１００Ｆと呼び、第１の刃群２６内の次にガードバー３０に近い刃１００を本明細書では第２の刃１００Ｓと呼び、第１の刃群２６内の次にガードバー３０に近い刃を本明細書では第３の刃１００Ｔと呼ぶことができ、同様に第２の刃群２８が２又は３以上の刃１００を含む実施形態では、ガードバー３０に最も近い刃（図１０の刃１３５も同様）を本明細書では第１の刃１００Ｆと呼び、第２の刃群２８内の次にガードバー３０に近い刃を本明細書では第２の刃１００Ｓと呼ぶことができる。好ましい実施形態では、（「前進」又は「引き」ストロークで係合する）第１の刃群２６が（「後進」又は「押し」ストロークで係合する）第２の刃群２８よりも多くの刃を含む。図３〜図５に示す実施形態は、第１の刃群２６内に３枚の刃を含み、第２の刃群２８内に２枚の刃を含む。これまでの分析では、この構成が良好に機能することが示唆されている。しかしながら、本開示はこの特定の刃構成に限定されるものではない。
【００３７】
第１及び第２の刃群２６、２８は、シェービングカートリッジ２０内で相対的に配向され、従ってシェービングカートリッジ２０を所定のストローク方向に平行移動させると、刃群２６、２８の一方のみが毛で覆われた表面上の毛に係合する。例えば、シェービングカートリッジ２０を前進ストローク方向に平行移動させると、表面から延びた毛に第１の刃群２６が係合してこれらを切断し、第２の刃群２８は、表面から延びた毛に切断目的の形で係合しない。これとは逆に、シェービングカートリッジ２０を後進ストローク方向に平行移動させると、表面から延びた毛に第２の刃群２８が係合してこれらを切断し、第１の刃群２６は、表面から延びた毛に切断目的の形で係合しない。
【００３８】
ここで図１５及び図１６を参照して分かるように、各刃１００は、幅１０１と、（ページの奥に延びる）長さと、厚さ１０３とを有する。刃先１０２は、刃１０２の長手方向に延びる一方の縁部に沿って延び、刃先１０２に接した毛を剪断できる減少した刃厚部分として構成される。本開示は、いずれかの特定のタイプの刃に限定されるものではない。容認できる刃１００の第１の例は、図１５に示すような支持部材１０４に装着（例えば、溶接）された平面刃１００である。支持部材１０４は、第１の部分１０６及び第２の部分１０８を含むことができ、これらの部分は非平面的であるように相対的に「屈曲」する。平面刃１００は、支持部材１０４の第２の部分１０８に装着される。容認できる刃の第２の例は、図１６に示すような「屈曲」した刃であり、例えば、刃１００は、長手方向に延びる同じ面内に存在しないような相対的角度で配置された一体的な第１及び第２の部分１１０、１１２を含む本体を有する。刃先１０２は第２の刃部分１１２に配置され、対向する第１の部分１１０はシェービングカートリッジ２０内に固定される。米国特許第７，６８１，３１４号及び米国特許出願公開第２０１０／０１０７４２５号には、本シェービングカートリッジ２２内で利用できる刃の例が開示されており、これらの文献はいずれもその全体が引用により本明細書に組み入れられる。
【００３９】
図９を参照すると、いくつかの実施形態では、本カートリッジが１又は２以上の刃間ガード１５８を含むことができる。各刃間ガード１５８は皮膚係合面１６０を含み、２つの隣接する刃間（例えば、図９に示すような刃１００Ｆと刃１００Ｓとの間）に配置される。刃間ガード１５８は、通常のシェービング動作中に実質的に基準面１１４の近くに皮膚係合面１６０が位置するように配置される。刃間ガード１５８は、あらゆる好適な断面形状を有することができ、例えば図９に示す刃間ガード１５８は、湾曲した断面形状を有する。米国特許第７，６８１，３１４号には、本カートリッジと共に使用できる刃間ガード１５８が開示されており、この文献はその全体が引用により本明細書に組み入れられる。
【００４０】
図９を参照して分かるように、刃群２６、２８が２又は３以上の刃を含む実施形態では、刃１００が（例えば、スペーサによって）互いに刃間間隔距離だけ離間する。刃間間隔距離は、隣接する刃の刃先１０２間の距離として定められる。２又は３以上の刃を有する刃群は、第１及び第２刃の刃先間の第１の刃間間隔距離（「１ＢＳ」）と、第２及び第３の刃の刃先間の第２の刃間間隔距離（「２ＢＳ」）とを有するものとして説明することができる。これらの刃間間隔距離は、同じである（すなわち１ＢＳ＝２ＢＳ）ことも又は異なる（１ＢＳ≠２ＢＳ）こともできる。第１の刃群２６内の刃間の刃間間隔距離と第２の刃群２８内の刃間の刃間間隔距離も、同じであることも又は異なることもできる。
【００４１】
次に図１０及び図１１を参照すると、第１及び第２の刃群２６、２８内の刃１００の刃先１０２が、平面１１４（以下、「基準面１１４」と呼ぶ）に近接して配置されている。基準面１１４は、第１の刃群２６の第１の刃（１００Ｆ、１２７）の刃先１０２と、第２の刃群２８の第１の刃１３５の刃先１０２の両方に正接する。
【００４２】
次に図１０を参照すると、いくつかの実施形態では、両刃群２６、２８内の刃の刃先１０２が同一平面上に存在し、すなわちシェービングカートリッジ２０の刃がその通常位置にある時には、基準面１１４が両刃群内の全ての刃先１０２に正接する。本明細書で使用する「通常の（ｎｏｒｍａｌ）」という用語は、刃１００が静止して刃に外力が加わっていないことを意味する。
【００４３】
いくつかの実施形態では、第１の刃群２６内の刃の刃先１０２が同一平面上に存在し、すなわちシェービングカートリッジ２０が通常状態にある時には、基準面１１４が第１の刃群２６内の刃の全ての刃先１０２に正接する。いくつかの実施形態では、第２の刃群２８内の刃の刃先１０２が同一平面上に存在し、この平面が基準面１１４と平行であることができる。いくつかの実施形態では、第１及び／又は第２の刃群２６、２８内の１又は２以上の刃先１０２を基準面１１４の上方に（この配置は「積極的」刃先位置と呼ばれることもある）、及び／又は基準面１１４の下方に配置することができる。本シェービングカートリッジ２０は、いずれかの特定の刃先１０２の構成に限定されるものではない。１又は２以上の刃１００が通常位置から弾性的に撓むことができるようにシェービングカートリッジ２０内に装着される実施形態（例えば、ばね装着された刃）では、ユーザがシェービングすべき表面にシェービングカートリッジ２０を適用した時に、撓んだ刃１００の刃先１０２の位置がシェービングカートリッジ２０の使用中に変化することができる。
【００４４】
次に図１２に示すように、第１の刃群２６が複数の刃１００を含む実施形態では、第１の刃群２６内の全ての刃１００が同様に配向される。例えば、第１の刃群２６内の全ての刃の刃先１０２は、全て長手方向に延びて全ての刃先が実質的に同じ方向を向き、例えば第１の刃群２６内のいずれかの刃１００の幅方向中心線（及びその刃の刃先１０２）を通じて延びる線１１６は、概ね第２の刃群２８に向かう方向に延びて第２の刃群２８の上方を通る。上述した第１の刃群２６内の刃の配向は、それぞれの刃の幅方向中心線を通じて延びる線１１６と基準面１１４との間の夾角「α」に関して説明することができる。
【００４５】
第２の刃群２８が複数の刃１００を含む実施形態では、第２の刃群２８内の全ての刃が同様に配向される。例えば、第２の刃群２８内の全ての刃１００の刃先１０２は、全て長手方向に延びて全ての刃先１０２が実質的に同じ方向を向き、例えば第２の刃群２８内のいずれかの刃１００の幅方向中心線（及びその刃の刃先１０２）を通じて延びる線１１８は、概ね第１の刃群２６に向かう方向に延びて第１の刃群２６の上方を通る。第２の刃群２８内の上述した刃の配向は、それぞれの刃１００の幅方向中心線を通じて延びる線１１８と基準面１１４との間の夾角「β」に関して説明することができる。角度α及びβの大きさは、同じであることも又は異なることもできる。
【００４６】
図３、図４、図９、図１０及び図１２には、シェービングカートリッジが図２〜図４に示す通常位置にある時に、Ｘ−Ｙ平面内に配置された基準面１１４に対して垂直な（例えば、Ｚ軸に沿った）深さ方向と（例えば、Ｘ軸に沿った）長さ方向とに広がる中心面１２０を示す。中心面１２０は、第１の刃群２６の第１の刃（１００Ｆ、１２７）の刃先１０２と第２の刃群２８の第１の刃（１００Ｆ、１３５）の刃先１０２との間の中間点（すなわち等距離）に位置する。
【００４７】
ガードバー３０は、様々な異なる構成を取ることができ、従っていずれかの特定の構成に限定されるものではない。例えば、図９及び図１０に示すガードバー３０の実施形態は、比較的柔軟なポリマー材料（例えば、熱可塑性ポリマーエラストマー）から形成され、本体から外向きに延びる複数の表面特徴（例えば、リブ１２２）を含む。ガードバー３０は、いずれかの特定の表面特徴構成に限定されるものではない。いくつかの実施形態（例えば、図９及び図１０を参照）では、ガードバー３０が、ガードバー３０全体の長手方向に延びて刃の刃先と平行であることができるリブ１２２を含む。他の実施形態では、リブ１２２が杉綾模様に配置され、又は様々な異なるタイプの特徴などを含むことができる。通常、これらの表面特徴は、基準面１１４の上方の位置まで外向きに延び（例えば、図１０には基準面１１４の上方のリブ１２２が延びる距離１２４を示す）、ユーザの皮膚表面に係合して皮膚表面を引き伸ばすとともに皮膚表面をシェービングに適応させるように構成される。ガードバー３０は双方向に作用し、例えばシェービングカートリッジ２０が前進／引きストローク方向及び後進／押しストローク方向に動いた時に望ましい皮膚配向を形成するように構成されることが好ましい。
【００４８】
シェービングカートリッジ２０は、前方キャップ及び後方キャップ７０、７２（例えば、図２を参照）の一方又は両方に配置された（又は取り付けられた）快適ストリップ（ｃｏｍｆｏｒｔ  ｓｔｒｉｐ）１２６を含むことができる。シェービングカートリッジ２０は、第１及び第２の側面７４、７６の一方又は両方に配置された（又は取り付けられた）快適ストリップ１２６を含むこともできる。快適ストリップ１２６は、皮膚表面に被着してシェービング過程を強化する１又は２以上のシェービング補助剤（例えば、潤滑剤、抵抗減少剤、脱毛剤、洗浄剤、薬剤など）を含むことができる。いくつかの実施形態では、前方キャップ７４又は後方キャップ７６、或いはこれらの両方の外側接触面全体を快適ストリップ材料で覆うことができ、例えば図５には、前進及び後方キャップ７４、７６が快適ストリップ材料を含む実施形態を示す。本開示は、いずれかの特定の快適ストリップの構成及び／又は組成に限定されるものではない。
【００４９】
次に図１０を参照すると、上述したように、シェービングカートリッジ２０は、長手方向に延びる非中心的な旋回軸３２を有し、この軸を中心に旋回できるように構成される。（線１２３と線１２５の交点に示す）長手方向に延びる非中心的な旋回軸３２は、中心面１２０からオフセットされた、第１の刃群２６の第１のカミソリ刃１２７の刃先１０２に正接する中心面１２０に平行な線１２１と中心面１２０との幅方向中間に位置する。この位置では、旋回軸３２を、第１の刃群２６の第１の刃（例えば１００Ｆ、１２７）の「前方」に位置するものとして説明することができる。本開示の文脈では、第１の刃群２６及び第２の刃群２８のいずれかの刃群の第１の刃が中心面１２０に最も近い刃である。第２の刃は、中心面１２０から離れる方向に次に隣接する刃である。いずれかの刃群の最後の刃は、中心面１２０から最も離れた刃である。好ましい実施形態では、旋回軸３２が、中心面１２０から約０．６〜１．８ｍｍの距離１２８であって、第１の刃群２６の第１のカミソリ刃１２７の刃先１０２に正接する線１２１から約１．６〜０．４ｍｍの距離１３０に位置する。中心面１２０と旋回軸３２との間の距離１２８と、第１の刃群２６の第１のカミソリ刃１２７の刃先１０２に正接する線１２１と旋回軸３２との間の距離１３０との合計は、第１の刃群２６の第１のカミソリ刃１２７の刃先１０２に正接する線１２１と中心面１２０との間の距離に等しい。対照的に、第２の刃群２８の第１のカミソリ刃１３５の刃先１０２に正接する中心面１２０に平行な線１３４と旋回軸３２との間の距離１３２は、第１の刃群２６の第１のカミソリ刃１２７の刃先１０２に正接する線１２１と旋回軸３２との間の距離１３０よりも大きい。従って、第１の刃群２６の第１の刃１２７の刃先１０２と旋回軸３２との間の幅方向距離１３０は、第２の刃群２８の第１の刃１３５の刃先１０２と旋回軸３２との間の幅方向距離１３２よりも小さい。いくつかの実施形態では、第１の刃群２６の最も外側の刃（例えば、図９の刃１００Ｔを参照）の刃先１０２と旋回軸３２との間の距離が、第２の刃群２８の最も外側の刃（例えば、図９の刃１００Ｓを参照）の刃先１０２と旋回軸３２との間の距離よりも小さい。いくつかの実施形態では、第１の刃群の第１の刃（例えば、図９の刃１００Ｆを参照）の刃先１０２と旋回軸３２との間の距離が、いずれかの刃群２６、２８の第１の刃の刃先１０２と中心面１２０との間の距離よりも小さい。
【００５０】
他の実施形態では、旋回軸３２が、中心面１２０から幅方向にオフセットされた、第１の刃群２６の第２のカミソリ刃１００Ｓの刃先１０２に正接する中心面１２０に平行な線１２１と中心面１２０との間に位置する。旋回軸は、第１の刃群の第２のカミソリ刃の刃先よりも第１の刃群の第１のカミソリ刃の刃先の近くに存在することができる。さらなる実施形態では、旋回軸３２が、中心面１２０から幅方向にオフセットされた、第１の刃群２６の最後のカミソリ刃の刃先１０２に正接する中心面１２０に平行な線１２１と中心面１２０との間に位置する。旋回軸は、第１の刃群の最後のカミソリ刃の刃先よりも第１の刃群の最初のカミソリ刃の刃先の近くに存在することができる。
【００５１】
図３、図４、図９及び図１０に示すように、いくつかの実施形態では、旋回軸３２を基準面１１４の下方に配置することができる。これらの実施形態では、通常、旋回軸３２が、基準面１１４から０．１〜０．５ｍｍの範囲内に、ただし基準面１１４よりも下方約１．５ｍｍを超えない距離１３６に配置される。別の実施形態では、旋回軸３２を、基準面１１４内又は基準面１１４の上方に配置することもできる。
【００５２】
本シェービングカートリッジ２０内の旋回軸３２の位置は、本シェービングカートリッジ２０の動作中に分かる実質的な利点をもたらす。例えば、旋回軸３２を上述したように基準面１１４から深さ方向距離１３６（又はそれ未満）に配置すると、前進及び後進ストローク方向におけるシェービングカートリッジ２０の有利な制御された動きがもたらされる。本発明者らの経験では、上述した深さ方向距離１３６を越えて基準面１１４よりも下方に旋回軸３２を配置すると双方向シェービングカートリッジ２０の安定性が低下し、皮膚表面を横切って平行移動する時にチャタリングを生じる可能性がある。
【００５３】
旋回軸３２を第１の刃群２６の第１の刃１２７と中心面１２０との幅方向中間に配置すると、前進ストローク方向で一般に直面する力と後進ストローク方向で直面する力との差分に対応することができる。具体的に言えば、ユーザは、「押し」ストローク（すなわち、後進ストローク方向）中には「引き」ストローク（すなわち、「前進ストローク方向」）中に使用される法線力よりも大きな法線力でシェービングカートリッジ２０を皮膚表面に適用する傾向にある。第２の刃群２８の第１の刃の刃先と旋回軸３２との間の距離が増すと（距離１３２＞距離１３０）、結果的に第２の刃群２８の第１の刃１３５に生じる法線力の量が減少する傾向にある（この結果的な力は、ユーザが旋回軸３２において加えた力と、第２の刃群２８の第１の刃１３５の刃先１０２と旋回軸３２との間の「旋回アーム」距離１３２との関数である）。従って、たとえユーザが前進ストロークと後進ストロークとで旋回軸３２に全く同じ量の法線力を加えたとしても、後進ストローク中に第２の刃群２８の第１の刃１３５に生じる法線力の量の方が、前進ストローク中に第１の刃群２６の第１の刃１２７に生じる法線力の量よりも小さくなる。
【００５４】
「オフセット」された旋回軸３２、並びに第１及び第２の刃群２６、２８の第１の刃に対するガードバー３０の位置も、望ましい皮膚表面の配向性をもたらす。例えば、シェービングカートリッジ２０を前進ストローク方向に引くと、ガードバー３０が皮膚に作用して、第１の刃群２６が接触する皮膚がガードバー３０の不在時よりもよりもわずかに伸びて平面的な配向性を有するようにする。同時に、ガードバー３０の後方（すなわち、ガードバー３０と第２の刃群２８との間）の皮膚表面は、基準面１１４に向かって延びることができるわずかな膨らみを生じることができる。オフセットされた旋回軸３２は、オフセットされていない旋回軸３２の場合に形成されるよりも小さな膨らみを生じることにより、皮膚表面の望ましい配向性を容易に獲得することができる。従って、ガードバー３０に対してオフセットされた旋回軸３２の構成は、引き動作−押し動作の遷移中にユーザを保護する一方で、ユーザがシェービングカートリッジ２０を皮膚表面に係合させて維持できるようにする役に立つ。
【００５５】
本シェービングカートリッジ２０は、非中心的な旋回軸３２を様々な異なる構成で定めることができ、従って特定の構成に限定されるものではない。非中心的な旋回軸３２を上述した位置に定める構成の例は、図１〜図４、図１３、図１４Ａ及び図１４Ｂで見ることができる。この例示的な実施形態では、シェービングカートリッジ２０が、シェービングカートリッジ２０のハンドル取り付け面３１から延びる第１のフランジ１３８及び第２のフランジ１４０と、カム面１４２とを含む。各フランジ１３８、１４０は、内面１４４及び外面１４６を含む。各フランジ１３８、１４０は、内面１４４上に配置された少なくとも１つの弓形支持面１４８と、内面１４４内に配置された弓形スロット１５０（図３及び図４を参照）とをさらに含む。カム面１４２は、第１のフランジ１３８と第２のフランジ１４０との間に配置される。ハンドル３４は、一対の弓形に成形されたタブ１５２を含み、各タブは、それぞれのフランジ１３８、１４０の弓形スロット１５０に受け取られるように構成される。タブ１５２は、通常位置に向かって外側に付勢される。通常位置では、シェービングカートリッジ２０がハンドル３４に装着された時に、（それぞれの弓形スロット１５０と嵌合するように弓形に成形された）タブ１５２がそれぞれのスロット１５０に受け取られる。ハンドル３４は、タブ１５２がスロット１５０に係合せずにシェービングカートリッジ２０をハンドル３４から取り外すことができる位置までタブ１５２を内向きに動かすための機構１５４を含む。新たなシェービングカートリッジ２０をハンドル３４に装着するには、タブ１５２を内側に動かして、タブ１５２がスロット１５０と整列するようにシェービングカートリッジ２０を位置付ける。ユーザが機構１５４を解放すると、タブ１５２がその通常位置に戻ってスロット１５０内に受け取られる。ハンドル３４は、フランジ支持面１４８に嵌合する支持面を含む。ハンドル３４は、カム面１４２に抗して作用する付勢されたカムフォロア１５６をさらに含む。カムフォロア１５６は、シェービングカートリッジ２０を通常位置に付勢する。フランジ支持面１４８、及び嵌合する弓形タブ１５２とスロット１５０は、シェービングカートリッジ２０を旋回軸３２の周囲で回転させるように構成される。米国特許第７，３３１，１０７号には、上述したものと同様のシェービングカートリッジの旋回取り付け構成が開示されており、この文献はその全体が引用により本明細書に組み入れられる。図２及び図３に示すシェービングカートリッジ２０の実施形態に含まれるハンドル接続部６４は、上述した形で旋回するように構成される。ハンドル３４は、ハンドル接続部６４に取り付けることができる。上述したように、上記で説明したシェービングカートリッジの旋回取り付け構成は、旋回軸３２を中心としたシェービングカートリッジ２０の旋回を実現するために使用できる構成例であり、本開示はこの例に限定されるものではない。
【００５６】
当業者であれば認識するように、上述した本発明の実施形態には、添付の特許請求の範囲に示す本発明の範囲から逸脱することなく数多くの修正及び置換を行うことができる。例えば、いずれか１つの実施形態に関連して開示した特徴は、単独で使用することも、又は他のそれぞれの実施形態の各特徴と組み合わせて使用することもできる。従って、上述した本明細書の部分は、限定的な意味ではなく例示的な意味で解釈すべきである。
【符号の説明】
【００５７】
２６  第１の刃群
２８  第２の刃群
３０  ガードバー
３２  旋回軸
１００  刃
１０２  刃先
１１４  基準面
１２０  中心面
１２１  中心面に平行な線
１２２  リブ
１２３  旋回軸を通る線
１２４  基準面からのリブの距離
１２５  旋回軸を通る線
１２７  第１のカミソリ刃
１２８  中心面と旋回軸との間の距離
１３０  第１の刃群の第１のカミソリ刃の刃先に正接する線と旋回軸との間の距離
１３２  第２の刃群の第１のカミソリ刃の刃先に正接する中心面に平行な線と旋回軸との間の距離
１３４  第２の刃群の第１のカミソリ刃の刃先に正接する中心面に平行な線
１３５  第２の刃群の第１のカミソリ刃
１３６  旋回軸の基準面からの深さ方向距離
【図１Ａ−１Ｃ】
0006987852.tif 000002
【図２】
0006987852.tif 000003
【図３】
0006987852.tif 000004
【図４】
0006987852.tif 000005
【図５】
0006987852.tif 000006
【図６】
0006987852.tif 000007
【図７】
0006987852.tif 000008
【図８】
0006987852.tif 000009
【図９】
0006987852.tif 000010
【図１０】
0006987852.tif 000011
【図１１Ａ】
0006987852.tif 000012
【図１１Ｂ】
0006987852.tif 000013
【図１１Ｃ】
0006987852.tif 000014
【図１１Ｄ】
0006987852.tif 000015
【図１２】
0006987852.tif 000016
【図１３】
0006987852.tif 000017
【図１４Ａ】
0006987852.tif 000018
【図１４Ｂ】
0006987852.tif 000019
【図１５】
0006987852.tif 000020
【図１６】
0006987852.tif 000021